(57)【要約】  注射器は、注射ボタンと、注射器と結合された注射ボタン感知装置に注射ボタンの入力を通知するエネルギーを放射するためのコイルとを含む。注射ボタン感知装置は、注射ボタン感知装置と結合された注射器に注射ボタンの入力を通知するエネルギーを放射するように特定の電圧と関連した電磁波を放射する送信部と、注射器から放射されたエネルギーに基づいて電圧を受信する受信部と、受信部から受信された電圧に基づいて注射ボタンの入力を感知する制御部とを含む。
2014519391.tif 000002
【特許請求の範囲】
【請求項１】
注射器であって、
注射ボタンと、
前記注射器と結合された注射ボタン感知装置に前記注射ボタンの入力を通知するエネルギーを放射するためのコイルと
を有することを特徴とする注射器。
【請求項２】
前記注射器は、前記注射ボタンが入力される時に、前記注射ボタン内に組み込まれた少なくとも１つのコイル及びキャパシターにより共振回路を形成することを特徴とする請求項１に記載の注射器。
【請求項３】
前記注射器は、前記共振回路が形成される時に、前記注射ボタン感知装置から放射される電磁波が電磁誘導により前記共振回路にエネルギーを記憶させ、前記共振回路に記憶されたエネルギーを前記注射器の内部に組み込まれた前記コイルを通して放射することにより前記注射ボタンの入力を前記注射ボタン感知装置に通知することを特徴とする請求項２に記載の注射器。
【請求項４】
前記キャパシターは、前記注射器と結合された注射ボタン感知装置が前記注射ボタンの入力強度を感知することができるように共振周波数を変更する可変キャパシターであることを特徴とする請求項２に記載の注射器。
【請求項５】
注射ボタン感知装置であって、
前記注射ボタン感知装置と結合された注射器に注射ボタンの入力を通知するエネルギーを放射するように特定の電圧と関連した電磁波を放射する送信部と、
前記注射器から放射されたエネルギーに基づいて電圧を受信する受信部と、
前記受信部から受信された電圧に基づいて前記注射ボタンの入力を感知する制御部と
を有することを特徴とする注射ボタン感知装置。
【請求項６】
前記送信部は、
前記注射ボタン感知装置の内側に巻かれ、前記特定の電圧と関連した電磁波を放射する少なくとも１つの送信側コイルと、
一定の間隔で前記特定の電圧を前記送信側コイルに提供する電圧部と、
前記一定の間隔で前記電圧部を前記送信側コイルに接続する第１のスイッチと
を有することを特徴とする請求項５に記載の注射ボタン感知装置。
【請求項７】
前記受信部は、
前記注射器から放射されたエネルギーに基づいて電圧を発生する少なくとも１つの受信側コイルと、
前記送信部により放射された電磁波の発生の後に前記制御部を前記受信側コイルに接続する第２のスイッチと
を有することを特徴とする請求項５に記載の注射ボタン感知装置。
【請求項８】
前記制御部は、前記送信部で一定の間隔で電圧部を送信側コイルに接続するように第１のスイッチを制御し、前記送信部により放射された電磁波の発生の後に前記制御部を受信側コイルに接続するように第２のスイッチを制御することを特徴とする請求項５に記載の注射ボタン感知装置。
【請求項９】
前記制御部は、前記受信部から受信された電圧信号から包絡線を抽出し、前記抽出された包絡線の信号レベルが所定のしきい値以上である場合に、前記注射ボタンの入力を感知する包絡線検出部を含むことを特徴とする請求項５に記載の注射ボタン感知装置。
【請求項１０】
前記包絡線検出部は、ディジタルロックイン検出方法により前記包絡線を検出することを特徴とする請求項９に記載の注射ボタン感知装置。
【請求項１１】
前記注射ボタン感知装置は、前記注射器と着脱可能であることを特徴とする請求項５に記載の注射ボタン感知装置。
【請求項１２】
前記制御部は、前記受信部から受信された電圧に基づいて前記注射ボタンの入力強度を感知することを特徴とする請求項５に記載の注射ボタン感知装置。
【請求項１３】
前記制御部は、
相互に異なる基準周波数を有し、前記受信される電圧信号の包絡線をそれぞれ検出する複数の包絡線検出部と、
前記複数の包絡線検出部で検出された包絡線の信号レベルを比較する比較部と
を有することを特徴とする請求項１２に記載の注射ボタン感知装置。
【請求項１４】
前記制御部が前記複数の包絡線検出部を含む時に、前記注射ボタン感知装置と結合された注射器内のキャパシターは、前記複数の包絡線検出部のそれぞれが有する相互に異なる基準周波数に対応するように共振周波数を変更する可変キャパシターであることを特徴とする請求項１３に記載の注射ボタン感知装置。
【請求項１５】
前記複数の包絡線検出部のそれぞれが有する相互に異なる基準周波数は、前記包絡線を検出するために使用されるディジタルロックイン検出方法の基準周波数であることを特徴とする請求項１３に記載の注射ボタン感知装置。
【請求項１６】
前記送信部内の送信側コイル及び前記受信部内の受信側コイルが１つのコイルとして形成される時に、前記電磁波が発生される場合に、前記コイルが前記送信部に接続され、前記電磁波の発生が完了した後に前記受信部に接続されることを特徴とする請求項５に記載の注射ボタン感知装置。
【発明の詳細な説明】
【技術分野】
【０００１】
本発明は、注射器及び注射ボタン感知装置に関し、特に、電気的な又は機械的な直接の接触なしに、注射ボタン感知装置で結合された注射器の注射ボタンの入力を感知することができる注射器及び注射ボタン感知装置に関する。
【背景技術】
【０００２】
インシュリンは、生き残りにとって不可欠である。糖尿病患者のうちで、タイプ−１患者は、連続的にそれらの血糖（ブドウ糖）レベルを測定しなければならず、測定に基づく適正量のインシュリンを注射しなければならない。インシュリンペン（insulin-pen）は、個人が便利に自身にインシュリンを注射することができるようにする。また、インシュリンペンは、個人がペンの投与量が書かれているノブを回すことにより投与量を決定することができるようにする。インシュリンは、インシュリンペンのエンドに取り付けられたボタンを押すことにより注射される。
【０００３】
現在では、患者は、自分でインシュリンがいつそしてどのくらい注射されたかに関する情報を記録しなければならない。このような自己記録情報に基づいて、医者は、患者の疾病状態が統制されている状況であるか否か、又は治療の効果を増加させるように処置が変わるべきであるか否かをチェックすることができる。
【０００４】
リアルタイム、すなわち、一日２４時間ブドウ糖レベルを測定し、必要に応じて、例えば、インシュリンパンプにより微量のインシュリンを連続的に注射するためには、現在複雑なシステムだけが使用可能である。しかしながら、インシュリンペンの使用は、個人が彼らのブドウ糖レベルを周期的にチェックし、必須の調整を行い、自分で適切なインシュリン量を注射するように要求する。個人が注射したインシュリンがいつ、そして、どのくらい注射したかを測定し、将来の使用のための注射結果を送信するかを決定する低コスト方法が現在存在しない。
【０００５】
したがって、上記のような問題点を解消するために、機構構造の変更なしに注射量を測定することができる注射器の注射量測定装置（韓国特許出願番号１０−２０１０−００７０５４７）が提供されている。
【０００６】
しかしながら、インシュリンを注射するためのインシュリンペンを使用するためには、患者は、インシュリン注射を開始するためのインシュリンペンの注射ボタンをまず入力（プッシュ）しなければならない。
【０００７】
しかしながら、注射量測定装置がインシュリンペンと着脱可能であるように構成される場合に、注射量測定装置は、インシュリンペンの注射ボタンの入力を正確に感知することができないことがある。したがって、インシュリン自己注射に関する情報を記録する患者の努力は、主に効果がない。
【０００８】
また、注射量測定装置は、使い捨てインシュリンペンのために、使い捨てインシュリンペンの注射ボタンの入力を感知することができない場合がある。
【発明の概要】
【発明が解決しようとする課題】
【０００９】
本発明の目的は、少なくとも上述した問題点及び／又は不都合に取り組み、少なくとも以下の便宜を提供することにある。すなわち、本発明の目的は、注射量を測定することができる注射器の注射量測定装置に注射器の注射ボタンを感知することができる機能を有する注射ボタン感知装置を提供することにある。
【００１０】
本発明の他の目的は、電気的な又は機械的な直接の接触なしに、注射ボタン感知装置で結合された注射器の注射ボタンの入力を感知することができる注射器及び注射ボタン感知装置を提供することにある。
【課題を解決するための手段】
【００１１】
上記のような目的を達成するために、本発明の一態様によれば、注射器が提供される。上記注射器は、注射ボタンと、上記注射器と結合された注射ボタン感知装置に上記注射ボタンの入力を通知するエネルギーを放射するためのコイルとを有することを特徴とする。
【００１２】
本発明の他の態様によれば、注射ボタン感知装置が提供される。上記注射ボタン感知装置は、上記注射ボタン感知装置と結合された注射器に注射ボタンの入力を通知するエネルギーを放射するように特定の電圧と関連した電磁波を放射する送信部と、上記注射器から放射されたエネルギーに基づいて電圧を受信する受信部と、上記受信部から受信された電圧に基づいて上記注射ボタンの入力を感知する制御部とを有することを特徴とする。
【発明の効果】
【００１３】
本発明によると、注射器及び注射ボタン感知装置は、電気的な又は機械的な直接の接触なくても、注射ボタン感知装置で結合された注射器の注射ボタンの入力を感知することができる。
【００１４】
本発明の実施形態の上述した及び他の様相、特徴、及び利点は、以下の添付図面が併用された後述の詳細な説明から、より一層明らかになるだろう。
【図面の簡単な説明】
【００１５】
【図１】本発明の実施形態による注射器及び注射ボタン感知装置を示す図である。
【図２】図１に示した包絡線（envelop）検出部の構成を示す図である。
【図３】本発明の実施形態による注射器及び注射ボタン感知装置で発生する電圧信号を説明するための図である。
【図４Ａ】本発明の実施形態による注射器の注射ボタン感知装置により感知された信号からの包絡線の検出を説明するための図である。
【図４Ｂ】本発明の実施形態による注射器の注射ボタン感知装置により感知された信号からの包絡線の検出を説明するための図である。
【図５Ａ】本発明の実施形態による注射器の注射ボタンの入力強度を感知する装置を説明するための図である。
【図５Ｂ】本発明の実施形態による注射器の注射ボタンの入力強度を感知する装置を説明するための図である。
【発明を実施するための形態】
【００１６】
以下、本発明の望ましい実施形態を添付の図面を参照して詳細に説明する。下記の説明において、本発明の詳細な構成および要素のような本発明の詳細な説明で定義される特徴は、本発明の実施形態の包括的な理解を助けるために提供される。したがって、本発明の範囲及び趣旨を逸脱することなく、ここに説明する実施形態の様々な変更及び修正が可能であるということは、当該技術分野における通常の知識を有する者には明らかである。また、明瞭性と簡潔性の観点から、当業者に良く知られている機能や構成に関する具体的な説明は、省略する。
【００１７】
図１は、本発明の実施形態による注射器及び注射ボタン感知装置を示す図である。図２は、図１に示した包絡線検出部の構成を示す図である。
【００１８】
図１を参照すると、本発明の実施形態による注射器の注射ボタン感知装置は、インシュリンを注射するために注射ボタンが入力（プッシュ）される時に共振回路を形成する組み込みコイルを有する注射器１００と、注射ボタン感知装置２００が注射器１００の注射量を測定するために注射器１００と結合される時に、注射器１００で形成された共振回路を通して組み込みコイルから電圧が発生する場合に、注射器１００の注射ボタンの入力を感知する注射ボタン感知装置２００とを含む。
【００１９】
まず、注射器１００の構成を説明すると、注射器１００は、その終端に注射ボタン１１１が取り付けられ、注射ボタン１１１に設置された少なくとも１つのコイル１１０とキャパシター１１２とを含む。
【００２０】
少なくとも１つのコイル１１０は、注射ボタン１１１の内側に巻かれており、注射ボタン１１１及びキャパシター１１２にそれぞれ接続される。
【００２１】
コイル１１０及び固定キャパシター１１２は、インシュリンを注射するために注射ボタン１１１が入力される時に共振回路を形成する。共振回路が形成される場合に、注射ボタン感知装置２００から放射される電磁波は、電磁誘導によりエネルギーを共振回路に記憶させ、この共振回路に記憶されたエネルギーを注射ボタン１１１の内部に組み込まれた少なくとも１つのコイル１１０を通して放射する。
【００２２】
注射ボタン感知装置２００は、一定の間隔ごとに発生する特定の電圧に基づいて送信側コイルで特定の電圧に関連した電磁波を放射する送信部と、この送信部から放射された電磁波の発生の後に注射器１００で形成された共振周波数から放射されたエネルギーに基づいて受信側コイルで発生する電圧を受信する受信部と、この受信部から受信された電圧に基づいて注射ボタン１１１の入力を感知する制御部２２０とを含む。
【００２３】
注射ボタン感知装置２００の送信部は、送信側コイル２１０ａ、電圧部２３０、及び第１のスイッチ部２４０を含む。送信側コイル２１０ａは、注射ボタン感知装置２００の内側に巻かれることにより電圧部２３０から受信された特定の電圧に関連した電磁波を放射する。電圧部２３０は、一定の間隔で特定の電圧を第１のスイッチ部２４０を通して送信側コイル２１０ａに送信する。第１のスイッチ部２４０は、制御部２２０の制御の下に一定の間隔で電圧部２３０を送信側コイル２１０ａに接続し、これにより、電圧部２３０により発生した特定の電圧を送信側コイル２１０ａに提供する。
【００２４】
注射ボタン感知装置２００の受信部は、受信側コイル２１０ｂ及び第２のスイッチ２５０を含む。受信側コイル２１０ｂは、注射器１００で形成された共振周波数から放射されたエネルギーに基づいて電圧を発生させる。第２のスイッチ２５０は、制御部２２０の制御の下に、送信部により放射された電磁波の発生の後に所定の時間が経過した場合に、受信側コイル２１０ｂで発生した電圧信号を受信するために受信側コイル２１０ｂを制御部２２０に接続する。
【００２５】
図２で見られるように、受信部は、受信側コイル２１０ｂにより発生した電圧信号をフィルタリングし増幅するための高域通過フィルタ２６０、低域通過フィルタ２７０、及び増幅部２８０と、アナログ電圧信号をディジタル周波数信号に変換するためのアナログディジタル変換器（ＡＤＣ）２９０とを含むことができる。第２のスイッチ２５０は、制御部２２０の制御の下に受信側コイル２１０ｂをフィルタ２６０及び２７０に接続する。これにより、この受信された電圧信号は、フィルタ２６０、２７０、及び増幅部２８０によりフィルタリングされ増幅され、ＡＤＣ２９０によりディジタル周波数信号に変換された後に、制御部２２０の包絡線検出部２２１に提供される。本発明の実施形態において、第２のスイッチ２５０は、受信側コイル２１０ｂをフィルタ２６０及び２７０に接続するものと仮定する。
【００２６】
注射ボタン感知装置２００の制御部２２０は、送信部で一定の間隔で送信側コイル２１０ａを電圧部２３０に接続するように第１のスイッチ部２４０を制御し、送信部により放射された電磁波の発生の後に所定の時間が経過した場合に受信側コイル２１０ｂをフィルタ２６０及び２７０に接続するように第２のスイッチ２５０を制御する。
【００２７】
本発明の実施形態において、送信側コイル２１０ａ及び受信側コイル２１０ｂは、１つのコイルとして形成され得る。
【００２８】
送信側コイル２１０ａ及び受信側コイル２１０ｂが１つのコイルとして形成される場合に、制御部２２０は、電磁波が発生する場合にこのコイルを送信部に接続し、電磁波の発生の後にこのコイルを受信部に接続する。
【００２９】
制御部２２０は、フィルタ２６０、２７０及び増幅部２８０によりフィルタリングされ増幅され、ＡＤＣ２９０によりディジタル周波数信号に変換された電圧信号から包絡線信号を検出する図２に示すような包絡線検出部２２１を含む。
【００３０】
包絡線検出部２２１は、ディジタルロックイン（Digital lock-in）検出方法により受信された電圧信号から包絡線を検出し、制御部２２０は、包絡線検出部２２１により検出された包絡線信号のレベルが所定のしきい値以上である場合に、注射器１００の注射ボタン１１１の入力を感知する。
【００３１】
図１及び図２に示したような注射器の注射ボタン感知装置により注射器の注射ボタンの入力を感知する動作を図３及び図４を参照して説明する。
【００３２】
図３は、本発明の実施形態による注射器及び注射ボタン感知装置で発生する電圧信号を説明するための図である。図４Ａ及び図４Ｂは、本発明の実施形態による注射器の注射ボタン感知装置により感知された信号からの包絡線の検出を説明するための図である。図５Ａ及び図５Ｂは、本発明の実施形態による注射器の注射ボタンの入力強度を感知する装置を説明するための図である。
【００３３】
まず、注射ボタン感知装置２００が注射器１００と結合される時に、制御部２２０が第１のスイッチ信号ＳＷ１を第１のスイッチ２４０に提供する場合に、第１のスイッチ２４０はターンオンとなり、これにより、電圧部２３０を送信側コイル２１０ａに接続する。第１のスイッチ２４０を通して送信側コイル２１０ａに接続された電圧部２３０は、８０μｓｅｃの間に２００Ｋｈｚ矩形波を発生させ、２００Ｋｈｚサイン波は、この発生した電圧信号により送信側コイル２１０ａで発生する。図３において、波形Ａ及びＢは、第１のスイッチ信号ＳＷ１に基づいて８０μｓｅｃ期間を有する電圧部２３０により発生した２００Ｋｈｚ矩形波を示す。
【００３４】
２００Ｋｈｚ電磁矩形波が送信側コイル２１０ａで発生する間に注射器１００の注射ボタン１１１が入力されるか又はプッシュされる場合に、共振回路は、注射ボタン内に組み込まれたコイル１１０及びキャパシター１１２で形成され、送信側コイル２１０ａで発生した電磁波は、エネルギーを電磁誘導により形成された共振回路に記憶させる。この共振回路に記憶されたエネルギーは、注射ボタン１１１内に組み込まれた少なくとも１つのコイル１１０により特定の電圧でさらに放射される。図３の波形Ｃは、注射ボタン１１１の入力により少なくとも１つのコイル１１０を通して放射された電圧を示す。
【００３５】
電圧部２３０により発生した電圧と関連した電磁波の発生の後に１０μｓｅｃが経過した場合に、注射ボタン感知装置２００の制御部２２０は、第２のスイッチ信号ＳＷ２を第２のスイッチ２５０に提供することにより、受信側コイル２１０ｂをフィルタ２６０及び２７０に接続する。
【００３６】
この電圧が注射器１００内のコイル１１０により放射される間に、受信側コイル２１０ｂが第２のスイッチ２５０を通してフィルタ２６０及び２７０に接続される場合に、電磁誘導により受信側コイル２１０ｂに電圧が発生し、制御部２２０は、この発生した電圧をフィルタ２６０及び２７０に提供することにより、この電圧信号をフィルタリングする。図３の波形Ｄ及びＥは、電圧部２３０により発生した電圧と関連した電磁波の発生の後に１０μｓｅｃが経過した場合に、注射ボタン感知装置２００の受信部で受信された受信側コイル２１０ｂにより発生した電圧を示す。  
【００３７】
しかしながら、注射器１００の注射ボタン１１１が入力されない場合に、共振回路は形成されない。この状態において、受信側コイル２１０ｂが第２のスイッチ２５０を通してフィルタ２６０及び２７０に接続されても、受信部のフィルタ２６０及び２７０では何の信号も受信されない。
【００３８】
制御部２２０は、受信側コイル２１０ｂから受信された電圧信号をフィルタ２６０、２７０及び増幅部２８０を通してフィルタリングし増幅した後に、ＡＤＣ２９０でアナログ電圧信号をディジタル周波数信号に変換する。
【００３９】
図４Ａは、ＡＤＣ２９０によりディジタル周波数信号に変換された電圧信号を示し、制御部２２０は、包絡線検出部２２１が図４Ａに示す電圧信号から包絡線を抽出するように制御する。
【００４０】
包絡線検出部２２１は、ディジタルロックイン（Digital lock-in）検出方法により包絡線を検出する。この検出動作を説明すると、１Ｍサンプル／秒のサンプリングレートを使用し、１２ビットＡＤＣ２９０により変換されたディジタル周波数信号を制御部２２０により数値的に予め生成された２００Ｋｈｚサイン波値及び２００Ｋｈｚコサイン波値と乗算した後に、この乗算されたそれぞれの値を５０Ｋｈｚ無限インパルス応答（ＩＩＲ）ディジタル低域通過フィルタを通して通過させることによりＩ／Ｑ信号を生成し、Ｉ／Ｑ信号をそれぞれ自乗し、その結果を加算し、平方根（square root）により包絡線だけを抽出する。
【００４１】
制御部２２０は、電圧部２３０により送信側コイル２１０ａに提供された電圧２００Ｋｈｚと同一の期間（８０μｓｅｃ）の間に包絡線の感知を実行し、相互に位相が９０°シフトしたサイン波値及び２００Ｋｈｚコサイン波値を１Ｍサンプル／秒の単位で生成し記憶する。
【００４２】
この抽出された包絡線は、２００Ｋｈｚのキャリア周波数及び１００μｓｅｃ程度の幅を有する。この包絡線を抽出することにより、制御部２２０は、注射器１００の注射ボタン１１１に対するオン／オフ状態を確認することができる。図４Ｂは、この抽出された包絡線を示す。
【００４３】
本発明の実施形態では、コイルは、注射ボタン感知装置２００の内部にシリンダータイプのペン形状に対応するようにチューブタイプで巻かれることがある。注射器１００の直径が１６〜１８ｍｍ程度であり、対応する直径で放射及び誘導効率を向上させるために２００Ｋｈｚの周波数でＱ値を増加させるようにコイルの直径及びチューブ形状の長さを調整することができる。また、本発明の実施形態では、０．１８ｍｍの直径を有するエナメル線を使用し、チューブ長さを１１ｍｍとして設定することによりＱ値を３０以上に増加させる機能を実現することができる。このようなコイルは、６０μＨのＬ値を有する。注射器１００に組み込まれたコイルは、注射ボタン感知装置２００内に組み込まれたコイルと同一の構成を有し、ここで使用された２００Ｋｈｚの周波数で共振することができるように１０ｎＦキャパシターに接続され得る。
【００４４】
注射器１００と結合される時に、注射ボタン感知装置２００は、注射ボタン感知装置２００から略３５ｍｍ離隔した注射器１００の注射ボタン１１１の入力を検出することができる。
【００４５】
注射器の注射ボタン感知装置は、注射器１００の注射ボタン１１１の入力だけでなく注射ボタン１１１の入力強度を感知することができる。
【００４６】
図５Ａ及び図５Ｂは、本発明の実施形態による注射器の注射ボタンの入力強度を感知する装置を説明するための図である。
【００４７】
図５Ａは、注射ボタン感知装置２００で注射器１００の注射ボタン１１１の入力強度を感知する構成を示し、注射器１００のキャパシター１１３は、注射ボタン１１１に印加された入力強度によりキャパシタンスを変更することができるように可変キャパシター１１３を含む。
【００４８】
図５Ｂに示すように、注射ボタン感知装置２００での制御部２２０は、相互に異なる基準周波数を有する第１乃至第３の包絡線検出部２２２乃至２２４と第１乃至第３の包絡線検出部２２２乃至２２４により検出された包絡線の信号レベルを比較する比較部２２５とを含む。
【００４９】
また、注射器１００内の可変キャパシター１１３は、相互に異なる基準周波数に対応するように共振周波数を変更することができ、第１乃至第３の包絡線検出部２２２乃至２２４の相互に異なる基準周波数は、包絡線を検出するために使用されるディジタルロックイン検出方法の基準周波数に対応することができる。
【００５０】
したがって、ディジタルロックイン検出方法の基準周波数を注射ボタン１１１の入力レベルにより変更され得る周波数範囲の値として順次に又は並列に適用することにより注射ボタン１１１の入力強度を感知することができる。
【００５１】
例えば、第１乃至第３の包絡線検出部２２２乃至２２４のそれぞれの基準周波数が２００Ｋｈｚ、１８０Ｋｈｚ、及び１６０Ｋｈｚである時に、第１乃至第３の包絡線検出部２２２乃至２２４は、ディジタルロックイン検出方法により受信側コイル２１０ｂから受信された電圧に対する包絡線をそれぞれ抽出することができる。
【００５２】
比較部２２５が第１乃至第３の包絡線検出部２２２乃至２２４の基準周波数のうちで周波数信号がもっとも大きいレベルの周波数を有する包絡線を検出する時に、制御部２２０は、もっとも大きい周波数信号を有する包絡線を検出した包絡線検出部の基準周波数に対応するように入力強度を確認することができる。
【００５３】
一般的に、２００Ｋｈｚの基準周波数を有する第１の包絡線検出部２２２がもっとも大きい周波数信号を有する包絡線を検出するが、もっとも大きい周波数信号を有する包絡線が１６０Ｋｈｚの基準周波数を有する第３の包絡線検出部２２４により検出される場合に、注射器１００でのエラーの発生が感知されることができる。
【００５４】
したがって、本発明は、注射器の注射ボタンの入力強度を感知するだけではなく注射器のエラーの発生も感知することができる。
【００５５】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００５６】
１００  注射器
１１０  コイル
１１１  注射ボタン
１１２  キャパシター
２００  注射ボタン感知装置
２１０ａ  送信側コイル
２１０ｂ  受信側コイル
２２０  制御部
２２１  包絡線検出部
２３０  電圧部
２４０  第１のスイッチ部
２５０  第２のスイッチ
２８０  増幅部
【図１】
2014519391.tif 000003
【図２】
2014519391.tif 000004
【図３】
2014519391.tif 000005
【図４Ａ】
2014519391.tif 000006
【図４Ｂ】
2014519391.tif 000007
【図５Ａ】
2014519391.tif 000008
【図５Ｂ】
2014519391.tif 000009
【国際調査報告】
2014519391.tif 000010
2014519391.tif 000011
2014519391.tif 000012